(57)【要約】【課題】簡単な構造で塵埃などの異物の撮影画像への写り込みを防止する。【解決手段】デジタルカメラ内部にある異物がＯＬＰＦ（光学ローパスフィルター）１５０に付着すると、撮影画像に写り込んでしまう。よって。所定のタイミングで、自動的にＣＣＤ２２の前面に配置したＯＰＬＦ１５０をスライドさせ、ＯＰＬＦ１５０に付着した異物を清掃部材１５６，１５７で除去している。したがって、ＯＬＰＦ１５０に異物が付着しても、撮影画像に写り込まない。【選択図】図５
2007124194.tif 000002
【特許請求の範囲】
【請求項１】
撮影レンズと、
前記撮影レンズによって結像した被写体像を電気信号に変換する撮像素子と、
前記撮像素子の前面に配置された透光板と、
前記透光板を、スライドさせるスライド手段と、
前記スライド手段によってスライドする前記透光板が当接し、該透光板に付着した異物を除去する清掃部材と、
を備えることを特徴とする電子カメラ。
【請求項２】
前記透光板は、光学ローパスフィルターであることを特徴とする請求項１に記載の電子カメラ。
【請求項３】
前記スライド手段は、所定のタイミングで自動的に、前記透光板をスライドさせることを特徴とする請求項１、又は請求項２に記載の電子カメラ。
【請求項４】
前記所定のタイミングは、当該電子カメラの電源がＯＮされたときであることを特徴とする請求項３に記載の電子カメラ。
【請求項５】
前記スライド手段は、撮影者の指示によって前記透光板をスライドさせることを特徴とする請求項１から請求項４のいずれか１項に記載の電子カメラ。
【請求項６】
透過する光を減光させる減光領域を前記透光板に設け、
前記スライド手段によって、前記透光板がスライドすることで、
前記減光領域を透過して前記撮像素子に結像する減光透位置と、該減光領域を透過しないで前記撮像素子に結像する非減光位置と、のいずれか一方の位置を選択できることを特徴とする請求項１から請求項５のいずれか１項に記載の電子カメラ。
【発明の詳細な説明】
【技術分野】
【０００１】
本発明は、電子カメラに関する。
【背景技術】
【０００２】
近年、ＣＣＤ等の撮像素子を用いるデジタルカメラが数多く市場に出回るようになっている。デジタルカメラは、レンズ鏡胴内の塵埃等の異物が振動等により、ＣＣＤ等の撮像素子の前面に配置された光学ローパスフィルターに付着すると、この異物も撮影画像に写り込んでしまうという問題がある。
【０００３】
なお、従来の銀塩フィルムを使用するカメラでも、フィルム上に異物が付着すると写り込んでしまうが、フィルムの場合は１駒毎にフィルムが移動するため、全ての駒に同様の異物が写り込むのは大変希である。しかし、ＣＣＤ等の撮像素子の場合は、撮影後に移動しないので、一旦異物が付着すると多くの駒に異物が写り込んでしまう。また、異物が徐々に光学ローパスフィルターに累積していくので影響が大きい。
【０００４】
したがって、ＣＣＤ等の撮像素子の前に防塵フィルターを設けるともに、この防塵フィルターを振動させることで、防塵フィルターに付着した異物を除去する方法が提案されている。（例えば、特許文献１参照）。
【特許文献１】特開２００４−２３５１９号公報
【発明の開示】
【発明が解決しようとする課題】
【０００５】
しかしながら、特許文献１の特開２００４−２３５１９号公報は構造が複雑である。よって、より簡単で容易な方法で、異物の写り込みの防止することが求められている。
【０００６】
本発明は、上記問題を解決すべく成されたもので、簡単な構造で塵埃などの異物の撮影画像への写り込みを防止することを目的とする。
【課題を解決するための手段】
【０００７】
請求項１に記載の電子カメラは、撮影レンズと、前記撮影レンズによって結像した被写体像を電気信号に変換する撮像素子と、前記撮像素子の前面に配置された透光板と、前記透光板を、スライドさせるスライド手段と、前記スライド手段によってスライドする前記透光板が当接し、該透光板に付着した異物を除去する清掃部材と、を備えることを特徴としている。
【０００８】
請求項１に記載の電子カメラは、撮像素子の前面に配置された透光板をスライド手段でスライドさせると、清掃部材が透光板に付着した異物を除去する。したがって、透光板に付着した塵埃などの異物が撮影画像に写り込むことが防止される。
【０００９】
請求項２に記載の電子カメラは、請求項１に記載の構成において、前記透光板は、光学ローパスフィルターであることを特徴としている。
【００１０】
請求項２に記載の電子カメラは、モアレの発生を防止するために、透過する光の高周波成分を除去する光学ローパスフィルターを清掃し、光学ローパスフィルターに付着した異物の写り込みを防止している。
【００１１】
請求項３に記載の電子カメラは、請求項１、又は請求項２に記載の構成において、前記スライド手段は、所定のタイミングで自動的に、前記透光板をスライドさせることを特徴としている。
【００１２】
請求項３に記載の電子カメラは、所定のタイミングで自動的に透光板がスライドし、清掃部材が透光板に付着した異物を除去する。
【００１３】
請求項４に記載の電子カメラは、請求項３に記載の構成において、前記所定のタイミングは、当該電子カメラの電源がＯＮされたときであることを特徴としている。
【００１４】
請求項４に記載の電子カメラは、当該電子カメラの電源がＯＮされたときに、換言すると撮影開始前には、必ず透光板に付着した異物を除去する。したがって、透光板に塵埃などの異物が付着していない状態で撮影を行うことができる。
【００１５】
請求項５に記載の電子カメラは、請求項１から請求項４のいずれか１項に記載の構成において、前記スライド手段は、撮影者の指示によって前記透光板をスライドさせることを特徴としている。
【００１６】
請求項５に記載の電子カメラは、撮影者の指示によって（任意に）透光板をスライドさせて、透光板に付着した異物を除去することができる。
【００１７】
請求項６に記載の電子カメラは、請求項１から請求項５のいずれか１項に記載の構成において、透過する光を減光させる減光領域を前記透光板に設け、前記スライド手段によって、前記透光板がスライドすることで、前記減光領域を透過して前記撮像素子に結像する減光透位置と、該減光領域を透過しないで前記撮像素子に結像する非減光位置と、いずれか一方の位置を選択できることを特徴としている。
【００１８】
請求項６に記載の電子カメラは、透光板を減光透位置と非減光位置との、いずれか一方の位置を選択することで、光量を調整することができる。
【００１９】
また、このため、例えば、別途、光量を調整する為の絞り機構を不要とすることができる。
【発明の効果】
【００２０】
以上説明したように本発明によれば、撮像素子の前面に配置した透光板をスライドさせることで、塵埃などの異物の撮影画像への写り込みを防止することができる。
【発明を実施するための最良の形態】
【００２１】
本発明の第１の実施形態に係るデジタルカメラについて説明する。
【００２２】
図１に示すように、デジタルカメラ１０は、主に静止画像を撮影する一眼レフタイプのデジタルスチルカメラである。
【００２３】
図１と図２とに示すように、デジタルカメラ１０は、カメラ本体１２の前面（正面）部にレンズマウント部１４が備えられ、レンズマウント部１４を介して、複数のレンズからなるレンズ群３００（図４参照）などを備えるレンズユニット１６が交換可能に装着される。また、シャッターボタン１８が正面に向かって左上部に配置されている。
【００２４】
図３に示すように、デジタルカメラ１０の背面外装部には、光学ファインダ６０、表示パネル６２、液晶モニター６４、十字ボタン６６、メニュー／実行ボタン６７、バックボタン６８、ファンクションボタン６３などが設けられている。
【００２５】
液晶モニター６４には、被写体像及び記録済み画像の再生画像を表示させることができる。また、現在設定されているモードの情報、画像の圧縮率の情報、日時情報、コマ番号なども表示される。更に、ユーザーが各種の設定操作等を行う際のユーザインターフェース用表示画面としても利用され、必要に応じて設定項目などのメニュー情報も表示される。
【００２６】
光学ファインダ６０は、レンズユニット１６（図１、図２参照）からの被写体像を、そのまま見ることができる。
【００２７】
図４に示すように、カメラ本体１２の内部には、クイックリターンミラー２０３が撮影光路内に設けられている。クイックリターンミラー２０３は、レンズユニット１６からの被写体光を光学ファインダ６０への光路系に導く位置（斜設位置）と撮影光路外に退避する位置（退避位置）との間を移動する。（いわゆる、ミラーダウンとミラーアップ）。なお、図４においては、クイックリターンミラー２０３はミラーダウンした斜設位置にある。また、一点破線は、光軸２０１を示している。
【００２８】
クイックリターンミラー２０３の上方には、光学ファインダ６０に導かれる被写体光が結像するピント板２０４が配設されている。ピント板２０４の上方には、光学ファインダ６０の視認性を向上させるためのコンデンサレンズ２０５が設けられている。そして、ペンタゴナルダハプリズム２０６で、ピント板２０４とコンデンサレンズ２０５とを通った被写体光を、光学ファインダ６０用の接眼レンズ２０８に導く。
【００２９】
一方、クイックリターンミラー２０３の後方には、上下方向（矢印Ｚ方向）にシャッター３２が開閉するフォーカルプレーンシャッター型のシャッター機構３０が配置されている。なお、図４ではシャッター３２は開放した状態である。シャッター機構３０の後方には、撮像素子であるＣＣＤ２２が配置されている。ＣＣＤ２２は多数のフォトダイオード（図示省略）が平面的に配列され、ハニカム配列、ベイヤー配列その他の所定のカラーフィルター配列構造を備えている。このＣＣＤ２２の前面には、カバーガラス２４が配置され、更にその前方には、モアレの発生を防止するために光の高周波成分を除去する光学ローパスフィルター１５０（以降、ＯＬＰＦ１５０とする）が配置されている。
【００３０】
そして、クイックリターンミラー２０３が撮影光路外に退避する位置（退避位置）にミラーアップした後、シャッター３２が開き、ＯＬＰＦ１５０を介して、ＣＣＤ２２に電荷を蓄積する。そして、画像データが、記録メディア１２０（図６参照）に記録される。
【００３１】
さて、図５に示すように、前述したＯＬＰＦ１５０は、固定部材１５２によって光軸２０１と直交する方向（本実施形態では矢印Ｚ方向と直交する矢印Ｙ方向）にスライド自在に取り付けられている。なお、矢印Ｙ方向は、図４では図に直交する方向となる。また、固定部材１５２の側方に、矢印Ｙ方向に伸縮する伸縮ロッド１６２を有するアクチュエーター１６０が設けられている。そして、このＯＬＰＦ駆動用のアクチュエーター１６０の伸縮ロッド１６２の先端がＯＬＰＦ１５０の側端部に取付部材１５４を介して取り付けられている。
【００３２】
よって、図５（Ａ）と図５（Ｂ）とに示すように、アクチュエーター１６０の伸縮ロッド１６２の伸縮によって、ＯＬＰＦ１５０がＹ方向にスライドする。なお、図５（Ａ）のＯＬＰＦ１５０の位置を所定位置、図５（Ｂ）のＯＬＰＦ１５０の位置をスライド位置、とする。
【００３３】
固定部材１５２の前面には開口１５２Ａが、後面には開口１５２Ｂが形成されている。そして、前面の開口１５２Ａの矢印Ｙ方向の両外側の、ＯＬＰＦ１５０と間に、清掃部材１５６，１５７が取り付けられている。この清掃部材１５６，１５７は上下方向（矢印Ｚ方向）に長い角柱形状をしている。
【００３４】
このような構成をしているので、ＯＬＰＦ１５０をアクチュエーター１６０によって矢印Ｙ方向にスライドさせると、ＯＬＰＦ１５０の表面は清掃部材１５６，１５７で擦られ、ＯＬＰＦ１５０の表面に付着したゴミなどの異物が除去（捕獲）される。また、少なくとも撮影光が透過する領域全てを清掃部材１５６，１５７が当接（清掃）するように、スライド幅や清掃部材１５６，１５７の長さが設定されている。
【００３５】
なお、清掃部材１５６，１５７は、このようにＯＬＰＦ１５０の表面に付着したゴミを除去（捕獲）できる素材であれば良く、特に限定されない。例えば、ウエス、スポンジ、フェルトなどを用いることができる。ただし、糸屑などが出ない素材が望ましく、また、ＯＬＰＦ１５０の表面を傷つけない素材が望ましい。
【００３６】
さて、図６は、デジタルカメラ１０（カメラ本体１２及びレンズユニット１６）の内部構成を示すブロック図である。レンズユニット１６は、絞り機構８０とフォーカシングレンズ８２やズームレンズ１８２等からなるレンズ群３００とを備える。さらに、絞り機構８０を駆動する手段としてのアイリスモータ８３及びその駆動回路（モータドライバ）８４、フォーカシングレンズ８２を駆動する手段としてのＡＦモーター８６及びその駆動回路（モータドライバ）８７、ズームレンズ１８２を駆動する手段としてのズームモータ１８６及びその駆動回路（モータドライバ）１８７、並びに制御用の中央処理装置（以下、レンズＣＰＵという。）８８、各種データが格納されているＲＯＭ８９等が内蔵されている。
【００３７】
不揮発性記憶手段であるＲＯＭ８９は書き換え不能なものであってもよいし、ＥＥＰＲＯＭのように書き換え可能なものでもよい。ＲＯＭ８９には当該レンズユニット１６の型名、焦点距離、Ｆナンバー、その他のレンズ性能に関する各種情報（以下、「レンズ情報」という。）が格納されている。
【００３８】
レンズユニット１６をカメラ本体１２のレンズマウント部１４に装着すると（図１と図２とを参照）、レンズマウント部１４に設けられている電気接点部１４Ａとレンズユニット１６の電気接点部１６Ａとを介してレンズユニット１６とカメラ本体１２が電気的に接続され、デジタルカメラ１０内のＣＰＵ（以下、カメラＣＰＵという。）９０とレンズＣＰＵ８８の間で信号の受渡しが可能となる。
【００３９】
カメラＣＰＵ９０は、所定のプログラムに従って本カメラシステムを統括制御する制御手段として機能するとともに、ＡＥ／ＡＦ演算など各種の演算を実施する演算手段として機能する。カメラＣＰＵ９０に接続されているＲＯＭ９１には、カメラＣＰＵ９０が実行するプログラム及び制御に必要な各種データ等が格納されており、ＲＡＭ９２はカメラＣＰＵ９０の作業用領域として利用される。不揮発性記憶手段であるＲＯＭ９１は書き換え不能なものであってもよいし、ＥＥＰＲＯＭのように書き換え可能なものでもよい。
【００４０】
カメラＣＰＵ９０は、カメラ本体１２に設けられている電源スイッチ９３、モード選択スイッチ９４、及びレリーズ検出スイッチ９５その他の操作部９６からの指示信号に基づいてデジタルカメラ１０内の各回路の動作を制御する。なお、操作部９６は図３で説明した十字ボタン６６、メニュー／実行ボタン６７、バックボタン６８、ファンクションボタン６３等の各種の操作手段を含むブロックである。
【００４１】
電源スイッチ９３は、デジタルカメラ１０の主電源をＯＮ／ＯＦＦする操作手段である。カメラＣＰＵ９０は電源スイッチ９３の状態を監視し、その状態に応じて電源回路９７を制御する。すなわち、電源スイッチ９３の閉（ＯＮ）状態を検出すると、カメラＣＰＵ９０は電源回路９７に対して起動指令の信号を与え、電源回路９７を起動させる。
【００４２】
電源回路９７はＤＣ／ＤＣコンバータを含む。デジタルカメラ１０に装填されている電池９８から供給される電力は、電源回路９７のＤＣ／ＤＣコンバータによって所要の電圧に変換された後、電源回路９７よりデジタルカメラ１０内の各回路ブロックに供給される。電源スイッチ９３の開（ＯＦＦ）状態を検出すると、カメラＣＰＵ９０は電源回路９７に対して停止指令の信号を与え、電源回路９７からの電力供給を停止させる。なお、主電源のＯＮ／ＯＦＦについては、電源スイッチ９３の操作に限らず、オートパワーＯＮ機能（設定された時刻にパワーＯＮする機能）やオートパワーＯＦＦ機能（一定時間の無操作状態が継続した場合や設定された時刻に自動的にパワーＯＦＦする機能）によって切り換わる態様もある。
【００４３】
モード選択スイッチ９４は、デジタルカメラ１０の動作モードを設定する手段であり、このモード切換スイッチを操作することによって「撮影モード」（撮影を行うモード）や「再生モード」（記録画像を再生するモード）などの各モードに設定できる。レリーズ検出スイッチ９５は、シャッターボタン１８（図１参照）の内部に配設される検出スイッチであり、シャッターボタン１８の半押し時にＯＮするＳ１スイッチと、全押し時にＯＮするＳ２スイッチから構成される。
【００４４】
モード選択スイッチ９４によって「撮影モード」が選択されると、デジタルカメラ１０は撮影可能な状態になる。カメラＣＰＵ９０がシャッターボタン１８の半押し（Ｓ１＝ＯＮ）を検出すると、ＡＥ及びＡＦ処理を実施し、その後、シャッターボタン１８の全押し（Ｓ２＝ＯＮ）を検知すると、記録用の画像を取り込むためのＣＣＤ露光及び読み出し制御を開始する。
【００４５】
デジタルカメラ１０に搭載されたＡＥ機能はＴＴＬ方式のＡＥであり、デジタルカメラ１０内部には、検出系としてのＡＥセンサ（受光素子）１００と、撮影レンズの透過光を分岐してＡＥセンサ１００まで導く検出光路を形成する光学系（不図示）とが設けられている。また、デジタルカメラ１０のＡＦ機能はＴＴＬ位相差式ＡＦであり、デジタルカメラ１０内部には位相差式ＡＦの検出系であるＡＦモジュール１０１と、検出光路の形成に必要な光学系（不図示）とが配設されている。ＡＥセンサ１００やＡＦモジュール１０１の配置構造や光学系の構成などについては、本発明の実施において特に限定されるものではく、一眼レフカメラの分野において知られる様々な態様を適用できる。また、ＡＥ／ＡＦ機能を実現する手段は、上述の例に限定されず、他のＡＥ／ＡＦ方式を用いてもよい。
【００４６】
さて、主電源がオンされると、レンズＣＰＵ８８はカメラＣＰＵ９０からの信号に基づいてモータドライバ１８７を制御してズームモータ１８６を作動させ、ズームレンズ１８２を所定の位置に移動させる
また、シャッターボタン１８が「半押し」されると（Ｓ１＝ＯＮ）、カメラＣＰＵ９０は、ＡＦモジュール１０１からの検出信号に基づいてピント状態を判定し、フォーカシングレンズ８２の移動制御信号を生成する。この移動制御信号はレンズＣＰＵ８８に送られる。レンズＣＰＵ８８はカメラＣＰＵ９０からの信号に基づいてモータドライバ８７を制御してＡＦモーター８６を作動させ、フォーカシングレンズ８２を合焦位置に移動させる。
【００４７】
また、カメラＣＰＵ９０は、ＡＥセンサ１００からの検出信号に基づいてＡＥ演算を行い、絞り値やシャッタースピードを算出する。カメラＣＰＵ９０で生成された絞り制御信号はレンズＣＰＵ８８に送られる。レンズＣＰＵ８８はカメラＣＰＵ９０からの信号に基づいてモータドライバ８４を制御してアイリスモータ８３を作動させ、絞り機構８０を所要の開口にする。
【００４８】
シャッターボタン１８が「全押し」されると（Ｓ２＝ＯＮ）、カメラＣＰＵ９０は、ＡＥ演算の結果に基づいてシャッター機構３０（図４参照）を制御し、シャッター機構３０のシャッター３２を開閉動作させるとともに、ＣＣＤ２２の電荷蓄積時間を制御する。そして、レンズユニット１６を介してＣＣＤ２２に結像された被写体の光学像は、ＣＣＤ２２によって光電変換される。
【００４９】
ＣＣＤ２２の各フォトダイオード（図示省略）に蓄積された信号電荷は、タイミングジェネレータ（ＴＧ）１０３から与えられるパルスに基づいて信号電荷に応じた電圧信号（撮像信号）として順次読み出される。ＣＣＤ２２から出力された信号はアナログ処理部１０４に送られ、相関二重サンプリング（ＣＤＳ）処理、色分離、ゲイン調整などの所要の処理が行われる。アナログ処理部１０４で生成された画像信号はＡ／Ｄ変換器１０６によってデジタル信号に変換された後、画像入力コントローラ１０８を介してメモリ１１０に格納される。なお、タイミングジェネレータ１０３は、カメラＣＰＵ９０の指令に従ってＣＣＤ２２、アナログ処理部１０４及びＡ／Ｄ変換器１０６に対してタイミング信号を与えており、このタイミング信号によって各回路の同期がとられている。
【００５０】
メモリ１１０に格納されたデータは、バス１１２を介して画像信号処理回路１１４に送られる。画像信号処理回路１１４は、輝度・色差信号生成回路、ガンマ補正回路、シャープネス補正回路、ホワイトバランス補正回路等を含む画像処理手段であり、カメラＣＰＵ９０からのコマンドにしたがって、画像信号を処理する。
【００５１】
画像信号処理回路１１４に入力された画像データは、輝度信号（Ｙ信号）及び色差信号（Ｃｒ，Ｃｂ信号）に変換されるとともに、ガンマ補正等の所定の処理が施される。画像信号処理回路１１４で生成された画像データは圧縮伸長回路１１６に送られ、ＪＰＥＧその他の所定の形式に従って圧縮される。圧縮された画像データは、メディアコントローラ１１８を介して記録メディア１２０に記録される。
【００５２】
圧縮形式はＪＰＥＧに限定されず、ＭＰＥＧその他の方式を採用してもよい。また、画像データを保存する手段は、メモリカードで代表される半導体メモリに限定されず、磁気ディスク、光ディスク、光磁気ディスクなど、種々の媒体を用いることができる。また、リムーバブルメディアに限らず、デジタルカメラ１０に内蔵された記録媒体（内部メモリなど）であってもよい。
【００５３】
モード選択スイッチ９４によって「再生モード」が選択されると、記録メディア１２０から画像ファイルが読み出される。読み出された画像データは、圧縮伸長回路１１６によって伸長処理され、ＶＲＡＭ１２２に送られる。ＶＲＡＭ１２２に格納されたデータは、
ビデオエンコーダ１２４によって表示用の所定方式の信号（例えば、ＮＴＳＣ方式のカラー複合映像信号）に変換された後、液晶モニター６４に供給される。こうして記録メディア１２０に格納されている画像が液晶モニター６４に表示される。
【００５４】
また、カメラＣＰＵ９０は、ＯＬＰＦ１５０をＹ方向にスライドさせるアクチュエーター１６０（図５参照）も制御している
つぎに、本実施形態の作用について説明する。
【００５５】
デジタルカメラ１０は、ユーザーによって必要に応じ、レンズユニット１６が交換される。その際、カメラ本体１２の開口部１７（図２参照）から、外部の塵埃など異物が、カメラ本体１２の内部に侵入する。また、レンズユニット１６の装着後も、生産時に混入した異物が振動等によってカメラ本体１２の内部に進入する。
【００５６】
更に、カメラ本体１２の内部の駆動部分（例えば、シャッター機構３０）から発生する摩擦粉などの異物もカメラ本体１２の内部に存在する。
【００５７】
このような異物がＯＬＰＦ１５０に付着すると、撮影画像に写り込んでしまう。よって、図５に示すように、デジタルカメラ１０のカメラＣＰＵ９０は、所定のタイミングで、自動的にＯＰＬＦ１５０をスライドさせ（図５（Ａ）と図５（Ｂ）とに移動し）、ＯＰＬＦ１５０に付着した異物を清掃部材１５６，１５７で除去している。なお、上述したＯＰＬＦ１５０に付着した異物を除去する動作を、以降「清掃動作」とする
つぎに、清掃動作を行う所定のタイミングの一例として、主電源がオンされた後に、清掃動作を行う例について説明する
図７に示すように、ステップ３０２で主電源がオンされる。ステップ３０４でアクチュエーター１６０の電源をＯＮする。ステップ３０６でアクチュエーター１６０を制御しＯＬＰＦ１５０を所定回数スライドさせ清掃する（図５参照）。ステップ３０８でアクチュエーター１６０を制御しＯＬＰＦ１５０を所定の位置（図５（Ａ）の状態）で止める。ステップ３１０でアクチュエーター１６０の電源をオフする。なお、ステップ３０４からステップ３１０を以降「清掃ステップＡ」と記す。
【００５８】
つづいて、ステップ３１２で、ズームモータ１８６を駆動する。ステップ３１４でズームレンズ１８２を移動する。ステップ３１６でズーム指定位置に停止する。ステップ３１８でＡＦモーター８６をオンする。ステップ３２０でシャッターボタン１８が半押しされると、フォーカシングレンズ８２を合焦位置に移動して停止する。そして、ステップ３２２で撮影状態となる。なお、ステップ３１２からステップ３２２を、「撮影準備スッテップＢ」と記す。
【００５９】
つまり、このように主電源がオンされる毎に、必ずＯＬＰＦ１５０の清掃動作を行なってから撮影可能な状態となる。
【００６０】
なお、主電源のオンは、電源スイッチ９３の操作に限らず、オートパワーＯＮ機能（設定された時刻にパワーＯＮする機能）によって主電源がオンとなる場合も含む。
【００６１】
また、主電源のオン時以外に自動的に清掃動作を行ってもよい。例えば、レンズユニット１６を交換した後に自動的に清掃動作を行うようにしても良い。
【００６２】
つぎに、撮影者が、十字ボタン６６、メニュー／実行ボタン６７（図３参照）などを操作して清掃動作を行う例について説明する。
【００６３】
図８に示すように、ステップ４００で、十字ボタン６６、メニュー／実行ボタン６７（図３参照）などを操作し、ＯＬＰＦ１５０への異物の付着状態を確認する。ステップ４０２で撮影者が清掃の必要なしと判断した場合は、前述した「撮影準備ステップＢ」（図７参照）へ進み、撮影状態となる。
【００６４】
ステップ４０２で撮影者が、清掃が必要を判断した場合は、前述した「清掃ステップＡ」（図７参照）と同様のステップを行いＯＬＰＦ１５０を清掃したのち、「撮影準備ステップＢ」（図７参照）に進み、撮影状態となる。
【００６５】
つぎに、ＯＬＰＦ１５０への異物の付着状態を確認する方法の一例を下記に説明する。
【００６６】
フォーカシングレンズ８２を無限遠端まで作動させて、被写体像を撮像素子であるＣＣＤ２２に結像させないことにより、ＣＣＤ２２の前面に配置されたＯＬＰＦ１５０に付着した異物のみを撮像することができる。その撮像を液晶モニター６４に写し、撮影者が撮影に影響を与えると判断すると、前述したように、清掃作業（清掃ステップＡ）を行うような操作（指示）をする。
【００６７】
このように、デジタルカメラ１０の内部の比較的奥まったところに配置されているＣＣＤ２２の前方に配置されたＯＬＰＦ１５０に、塵埃などの異物が付着しても容易に除去できる。また、レンズユニット１６を外さないで清掃できるので、新たな塵埃が付着することもない。
【００６８】
つぎに、本発明の第２の実施形態に係るデジタルカメラについて説明する。
【００６９】
なお、第１の実施形態とはＯＬＰＦが異なるのみで、他の部材や構造は第一の実施形態と同様である。
【００７０】
図９と図１０とに示すように、ＯＬＰＦ６００は正面から見て略右半分の領域にＮＤ（Neutral Density）蒸着を施している。このＮＤ蒸着した減光領域６０２を透過する光は減光される。
【００７１】
そして、ＯＬＰＦ６００をアクチュエーター１６０でスライドし、図９（Ｂ）と図１０（Ｂ）とに示す、減光領域６０２を透過してＣＣＤ２２に結像する減光位置と、図９（Ａ）と図１０（Ａ）とに示す、減光領域６０２を透過しないでＣＣＤ２２に結像する非減光位置と、の二つの位置で撮影が可能となっている。
【００７２】
なお、ＯＬＰＦ６００をスライドすると、第一の実施形態と同様に清掃部材１５６，１５７がＯＬＰＦ６００の表面を清掃し、ＯＬＰＦ６００の表面に付着した異物を除去する。
【００７３】
なお、本実施形態のデジタルカメラは、絞り機構８０（図６参照）は備えていない。
【００７４】
つぎに、本実施形態の作用について説明する。
【００７５】
ＯＬＰＦ６００の清掃動作については第一の実施形態と同様であるので、説明を省略する。
【００７６】
図９に示すとともに、前述したように、撮影者が、十字ボタン６６、メニュー／実行ボタン６７（図３参照）などを操作し、ＯＬＰＦ６００をスライドさせ、減光領域６０２を透過してＣＣＤ２２に結像する減光位置（図９（Ｂ）、図１０（Ｂ））と、減光領域６０２を透過しないでＣＣＤ２２に結像する非減光位置（図９（Ａ）、図１０（Ａ））と、の二つの位置のいずれか一方位置で撮影が可能となっている。
【００７７】
よって、例えば、屋外などの明るい場所での撮影はＯＬＰＦ６００を減光位置（図９（Ｂ）、図１０（Ｂ））とし、屋内や夕方などの暗い場所での撮影はＯＬＰＦ６００を非減光位置（図９（Ａ）、図１０（Ａ））とすることで、光量を調整できる。
【００７８】
したがって、絞り機構８０（図６参照）が不要となる。よって、低コストかつ小型化されたデジタルカメラとなっている。
【００７９】
尚、本発明は、上記の実施の形態に限定されるものではない。
【００８０】
例えば、上記実施形態では、ＣＣＤ２２の前方に配置された光学ローパスフィルター１５０，６００をスライドする構成としたが、光学ローパスフィルター１５０，６００以外の、ＣＣＤ２２の前方に配置されている透光板をスライドし、清掃部材で清掃する構成であっても良い。
【００８１】
また、例えば、上記実施形態では、主に静止画像を撮影する一眼レフタイプのデジタルカメラを例にとって説明したが、これに限定されない。主に動画を撮影するデジタルビデオカメラやＤＶＤカメラなど、各種の電子カメラに本発明は適用することができる。
【００８２】
また、一眼レフタイプに限らず、他のタイプのレンズ交換式の電子カメラにも同様に適用することもできる。
【００８３】
更に、レンズ交換ができないレンズ固定タイプの電子カメラ（例えば、コンパクトタイプのデジタルカメラ）にも適用できる。なお、レンズ固定タイプの電子カメラでは、レンズ交換の際の塵埃の侵入は無い。しかし、生産時に混入したゴミや駆動部分から発生する摩擦粉などの異物がＯＬＰＦ１５０，６００に付着してしまうことがあり、しかも、本発明が適用されていない場合、ユーザー自身ではＯＬＰＦ１５０，６００に付着した異物を除去できない。したがって、本発明を適用することは有効である。
【図面の簡単な説明】
【００８４】
【図１】本発明の第一の実施形態のデジタルカメラの斜視図である。
【図２】レンズユニットを外した状態のデジタルカメラの斜視図である。
【図３】第一の実施形態のデジタルカメラの背面を示す図である。
【図４】第一の実施形態のデジタルカメラの内部を模式的に示す図である。
【図５】第一の実施形態のデジタルカメラの内部の要部を上方から見た図であり、（Ａ）はＯＬＰＦが固定位置にある状態を示し、（Ｂ）はＯＬＰＦがスライド位置にある状態を示す図である。
【図６】第一の実施形態のデジタルカメラのブロック図である。
【図７】電源ＯＮ時に自動的に清掃動作を行う場合のフローチャートである。
【図８】撮影者が指示をすると清掃動作を行う場合のフローチャートである。
【図９】第二の実施形態のデジタルカメラの内部の要部を上方から見た図であり、（Ａ）はＯＬＰＦが非減光位置にある状態を示し、（Ｂ）はＯＬＰＦが減光位置にある状態を示す図である。
【図１０】第二の実施形態のデジタルカメラの内部の要部を正面から見た図であり、（Ａ）はＯＬＰＦが非減光位置にある状態を模式的に示し、（Ｂ）はＯＬＰＦが減光位置にある状態を模式的に示す図である。
【符号の説明】
【００８５】
１０      デジタルカメラ（電子カメラ）
２２      ＣＣＤ（撮像素子）
１５０      光学ローパスフィルター（透光板）
１５６      清掃部材
１５７      清掃部材
１６０      アクチュエーター（スライド手段）
３００      レンズ群（撮影レンズ）
６０２      減光領域
【図１】
2007124194.tif 000003
【図２】
2007124194.tif 000004
【図３】
2007124194.tif 000005
【図４】
2007124194.tif 000006
【図５】
2007124194.tif 000007
【図６】
2007124194.tif 000008
【図７】
2007124194.tif 000009
【図８】
2007124194.tif 000010
【図９】
2007124194.tif 000011
【図１０】
2007124194.tif 000012